(57)【特許請求の範囲】
【請求項１】
建具枠（２）に室内側開閉戸（３）と室外側開閉戸（４）とを引違い状に開閉自在に設けてなる引違い建具（１）に取り付けられて室外側開閉戸（４）及び室内側開閉戸（３）の開き方向の移動を規制する補助錠であって、
ケース（２４）と、このケース（２４）に室内外方向（Ｘ）移動自在に支持された可動部材（２５）とを備え、前記ケース（２４）を建具枠（２）の下枠（１３）又は室外側開閉戸（４）の下框（９）の一方に係合させると共に、可動部材（２５）を室内外方向（Ｘ）で且つケース（２４）に対して離反する方向に移動させて該可動部材（２５）を建具枠（２）の下枠（１３）又は室外側開閉戸（４）の下框（９）の他方に接当押圧させることにより、建具枠（２）に固定される補助錠において、
当該補助錠を、室外側開閉戸（４）の下框（９）と、この下框（９）に室内側（Ａ）で対向する建具枠（２）の室内側壁部（１６ａ）との間に収まるように形成したことを特徴とする補助錠。
【請求項２】
前記ケース（２４）は、室外側開閉戸（４）の下框（９）と該下框（９）に室内側（Ａ）で対向する建具枠（２）の室内側壁部（１６ａ）との間に配置可能とされると共に開閉戸（３，４）を支持する建具枠（２）の壁部（１８）に載置可能とされ、且つ室外側開閉戸（４）の下框（９）又は該下框（９）に室内側（Ａ）で対向する建具枠（２）の室内側壁部（１６ａ）の一方に接当可能とされ、
前記可動部材（２５）は、ケース（２４）の前記下框（９）又は室内側壁部（１６ａ）の他方を向く面から該下框（９）又は室内側壁部（１６ａ）の他方に向けて移動可能とされていて、該可動部材（２５）を前記下框（９）又は室内側壁部（１６ａ）の他方に接当押圧させることで当該補助錠が固定可能とされることを特徴とする請求項１に記載の補助錠。
【請求項３】
前記ケース（２４）は下方開口状の箱状に形成されたケース本体（２７）と、このケース本体（２７）内に下方側から挿入されて該ケース本体（２７）に取付固定されると共に上面にガイド部（４９）が開閉戸の開閉方向（Ｙ）に一対設けられた蓋体（２８）とを有し、
前記可動部材（２５）は、前記蓋体（２８）のガイド部（４９）間に配置されていて室
内外方向（Ｘ）に移動自在にガイドされた支持プレート（５３）と、前記下框（９）又は室内側壁部（１６ａ）の他方を押圧可能な押圧壁（５４）とを有し、
前記支持プレート（５３）は、ケース（２４）の前記下框（９）又は室内側壁部（１６ａ）の他方を向く壁部（３１）に形成された通し穴（４０）を介してケース（２４）内から外部へと突出可能とされ、この支持プレート（５３）のケース（２４）から突出する側に押圧壁（５４）を設けたことを特徴とする請求項２に記載の補助錠。
【請求項４】
前記ケース（２４）に、室内側開閉戸（３）を開閉方向（Ｙ）に案内する室内側レール（１９）との干渉を避けるためのレール逃がし部（４３）を設けたことを特徴とする請求項１、２又は３に記載の補助錠。
【請求項５】
前記ケース（２４）に設けられた接当部（６７）を室外側開閉戸（４）の下框（９）又は該下框（９）に室内側（Ａ）で対向する建具枠（２）の室内側壁部（１６ａ）との一方に接当可能とすると共に、室外側開閉戸（４）の下框（９）又は該下框（９）に室内側（Ａ）で対向する建具枠（２）の室内側壁部（１６ａ）との他方に可動部材（２５）を接当可能とし、ケース（２４）の前記接当部（６７）の室内外方向（Ｘ）の位置を変更可能としたことを特徴とする請求項１〜４のいずれか１項に記載の補助錠。
【発明の詳細な説明】
【技術分野】
【０００１】
本発明は、引違い窓や引違い戸等の引違い建具に取り付けられ、該引違い建具に取付固定することにより室外側開閉戸及び室内外方向開閉戸の開き方向の移動を規制する補助錠に関するものである。
【背景技術】
【０００２】
建具枠に室内側開閉戸と室外側開閉戸とを引違い状に開閉自在に設けてなる引違い建具に取付固定されて室外側開閉戸及び室内側開閉戸の開き方向の移動を規制する補助錠として特許文献１に開示された補助錠がある。
この補助錠は、扁平状のケースの前後方向一端側に設けられた固定部と、ケースに前後移動自在に設けられた可動部とを有する。
【０００３】
固定部はケースに一体形成されていて該ケースから下方に延出している。
可動部は、ケースの下方側に配置され、固定部と前後方向で対向状とされている。この可動部はケース内に前後移動自在に設けられたラックプレートからケースの下面側に延出している。ラックプレートの上面には、ラック歯が前後方向に形成され、ケースの上面側には操作部材が上下軸回りに回動自在に取り付けられ、この操作部材にはラックプレートのラック歯にかみ合うカムが固定されている。
【０００４】
前記操作部材を一方向に回動操作するとカムがラック歯に係合してラックプレートと共に可動部が前方移動して固定部に対して近接移動し、操作部材を他方向に回動操作するとカムがラック歯に係合してラックプレートと共に可動部が後方移動して固定部に対して離反移動する。
この補助錠を建具枠に固定して室外側開閉戸及び室内外方向開閉戸の開き方向の移動を規制するには、先ず、補助錠の前後方向を前側が室外側となり後側が室内側となるように室内外方向に一致させると共に、両開閉戸が閉じた状態で、補助錠を、室外側開閉戸の下框の室内側で且つ室内側開閉戸の戸尻框の近傍に配置し、固定部を室外側開閉戸の下框の室内側の面に接当させると共に、室外側開閉戸の下框に室内側で対向する建具枠の水返し壁部の室外側を向く面に可動部を対向させる。
【０００５】
この状態で操作部材をラックプレートが後方移動するように回動操作すると、可動部が固定部に対して離反移動し、該可動部が建具枠の前記水返し壁部を接当押圧する。これにより、固定部と可動部とが、室外側開閉戸の下框と前記水返し壁部との間で突っ張って、補助錠が引違い建具に固定される。
【先行技術文献】
【特許文献】
【０００６】
【特許文献１】特許第４２１５９０２号公報
【発明の概要】
【発明が解決しようとする課題】
【０００７】
前記従来の補助錠にあっては、該補助錠を引違い建具に固定する際に、可動部を後方移動させるべく、ラックプレートを後方移動、すなわち室内側方向に移動させるが、このラックプレートを室内側方向に移動させるための移動代を採るために、ケースが前後方向に長く形成され、補助錠を引違い建具に固定した状態では、ケースが、建具枠の前記水返し壁部から室内側へと突出している。
【０００８】
補助錠を引違い建具に固定した状態でケースが前記水返し壁部から室内側へと突出していると、該突出部分に、ものが当たる惧れがある。
また、引違い建具の開閉戸のガラスを割って、外部から補助錠を外そうとした場合に、補助錠のケースの前記水返し壁部から室内側へと突出した部分に手を引っかけることができる場合があり、補助錠が外されやすい場合があるということもある。
【０００９】
そこで、本発明は、前記問題点に鑑み、引違い建具に取り付けた状態で補助錠に、ものが当たりにくく、且つ外されにくい補助錠を提供することを課題とする。
【課題を解決するための手段】
【００１０】
前記技術的課題を解決するために本発明が講じた技術的手段は、以下に示す点を特徴とする。
請求項１に係る発明では、建具枠に室内側開閉戸と室外側開閉戸とを引違い状に開閉自在に設けてなる引違い建具に取り付けられて室外側開閉戸及び室内側開閉戸の開き方向の移動を規制する補助錠であって、
ケースと、このケースに室内外方向移動自在に支持された可動部材とを備え、前記ケースを建具枠の下枠又は室外側開閉戸の下框の一方に係合させると共に、可動部材を室内外方向で且つケースに対して離反する方向に移動させて該可動部材を建具枠の下枠又は室外側開閉戸の下框の他方に接当押圧させることにより、建具枠に固定される補助錠において、
当該補助錠を、室外側開閉戸の下框と、この下框に室内側で対向する建具枠の室内側壁部との間に収まるように形成したことを特徴とする。
【００１１】
請求項２に係る発明では、前記ケースは、室外側開閉戸の下框と該下框に室内側で対向する建具枠の室内側壁部との間に配置可能とされると共に開閉戸を支持する建具枠の壁部に載置可能とされ、且つ室外側開閉戸の下框又は該下框に室内側で対向する建具枠の室内側壁部の一方に接当可能とされ、
前記可動部材は、ケースの前記下框又は室内側壁部の他方を向く面から該下框又は室内側壁部の他方に向けて移動可能とされていて、該可動部材を前記下框又は室内側壁部の他方に接当押圧させることで当該補助錠が固定可能とされることを特徴とする。
【００１２】
請求項３に係る発明では、前記ケースは下方開口状の箱状に形成されたケース本体と、このケース本体内に下方側から挿入されて該ケース本体に取付固定されると共に上面にガイド部が開閉戸の開閉方向に一対設けられた蓋体とを有し、
前記可動部材は、前記蓋体のガイド部間に配置されていて室内外方向に移動自在にガイドされた支持プレートと、前記下框又は室内側壁部の他方を押圧可能な押圧壁とを有し、
前記支持プレートは、ケースの前記下框又は室内側壁部の他方を向く壁部に形成された通し穴を介してケース内から外部へと突出可能とされ、この支持プレートのケースから突出する側に押圧壁を設けたことを特徴とする。
【００１３】
請求項４に係る発明では、前記ケースに、室内側開閉戸を開閉方向に案内する室内側レールとの干渉を避けるためのレール逃がし部を設けたことを特徴とする。
請求項５に係る発明では、前記ケースに設けられた接当部を室外側開閉戸の下框又は該下框に室内側で対向する建具枠の室内側壁部との一方に接当可能とすると共に、室外側開閉戸の下框又は該下框に室内側で対向する建具枠の室内側壁部との他方に可動部材を接当可能とし、ケースの前記接当部の室内外方向の位置を変更可能としたことを特徴とする。
【発明の効果】
【００１４】
本発明の補助錠は、室外側開閉戸の下框と、この下框に室内側で対向する建具枠の室内側壁部との間に収まるので、引違い建具に取り付けた状態で、補助錠に、ものが当たりにくく且つ補助錠が外されにくいという効果を奏する。
また、補助錠が下框に室内側で対向する建具枠の室内側壁部から室内側に出っ張らないので、補助錠の固定を解除した場合に、室外側開閉戸の下框と、この下框に室内側で対向する建具枠の室内側壁部との間に補助錠を置いておいても、該補助錠が邪魔にならないという利点もある。
【図面の簡単な説明】
【００１５】
【図１】補助錠を引違い窓に取付固定した状態の側面一部断面図である。
【図２】補助錠を引違い窓に取付固定した状態の平面一部断面図である。
【図３】補助錠を引違い窓に取付固定した状態の引違い窓の正面図である。
【図４】補助錠の斜視図である。
【図５】錠本体の分解斜視図である。
【図６】操作部材を下側から見た斜視図である。
【図７】補助錠の側面断面図である。
【図８】補助錠の平面一部断面図である。
【図９】補助錠の背面断面図である。
【図１０】（ａ）はカム部材の平面図、（ｂ）はカム部材の底面図、（ｃ）はカム部材の正面図、（ｄ）はＣ−Ｃ線矢視断面図、（ｅ）はＤ−Ｄ線矢視断面、（ｆ）は上側から見た斜視図、（ｇ）はカム部材を下側から見た斜視図である。
【図１１】（ａ）は他の実施形態に係る補助錠の平面図、（ｂ）は他の実施形態に係る補助錠の正面図である。
【図１２】（ａ）は接当部の位置変更手段の背面図、（ｂ）は接当部の位置変更手段の平面一部断面図、（ｃ）は接当部の位置変更手段の側面一部断面図、（ｄ）は接当部の位置変更手段の動作を示す背面図である。
【発明を実施するための形態】
【００１６】
以下、本発明の実施の形態を図面を参照して説明する。
図３において、符号１は引違い建具として例示する引違い窓であり、この引違い窓１は、住宅等の建物の躯体に形成された窓開口部に取り付けられる窓枠２（建具枠）に、室内側開閉戸３と室外側開閉戸４とを引違い状に開閉自在に設けてなる。
図３に示すように、室内側開閉戸３及び室外側開閉戸４は、框６と、この框６に嵌め込まれたガラス板７とから構成されている。框６は、上框８と下框９と戸先框１０と戸尻框１１とから矩形枠状に形成されている。
【００１７】
前記窓枠２は、上枠１２と下枠１３と左右一対の竪枠１４とから矩形枠状に形成されている。
この窓枠２の下枠１３は、図１に示すように、室内側縦壁部１６と、室外側縦壁部１７と、これら縦壁部１６，１７同士を連結すると共に室内側開閉戸３及び室内側開閉戸３を支持する横壁部１８と、この横壁部１８に設けられた室内外方向Ｘ一対のレール１９，２０とを有する。
【００１８】
室内側レール１９に室内側開閉戸３が開閉方向に移動自在に案内され、室外側レール２０に室外側開閉戸４が開閉方向に移動自在に案内される。
前記室内側縦壁部１６及び室外側縦壁部１７は、壁厚方向が室内外方向Ｘに一致していて壁面が室内外方向Ｘを向いており、室内側縦壁部１６の上部側の壁部１６ａは横壁部１８から上方に突出していて室外側開閉戸４の下框９の室内側Ａの面に対向状とされている。
【００１９】
この室内側縦壁部１６の、室外側開閉戸４の下框９の室内側Ａの面に対向する壁部１６ａを水返し壁部という。
なお、以下の説明において、室内外方向Ｘを前後方向ともいい、室内外方向Ｘの室外側Ｂを前方、室内側Ａを後方という。また、開閉戸３，４の開閉方向Ｙを左右方向ともいい、室内側Ａから引違い窓１に向かって左側を単に左側、室内側Ａから引違い窓１に向かって右側を単に右側という。
【００２０】
図１〜図９において、符号２１は、前記引違い窓１に取付固定されることにより室内側開閉戸３及び室内側開閉戸３の開き方向の移動を規制する補助錠である。
この補助錠２１は、図４に示すように、錠本体２２と、操作部材２３とから主構成されている。
錠本体２２は、ケース２４と、このケース２４に前後移動自在に支持された可動部材２５と、この可動部材２５に係合するカム部材２６とから主構成されている。
【００２１】
前記ケース２４は、図５に示すように、ケース本体２７と蓋体２８と当て板２９（接当部）とから主構成されている。
ケース本体２７は、図５、図７、図８及び図９に示すように、上壁３１と、前後壁３１，３２と、左右の側壁３３とから下方開口状の箱状に形成されている。
ケース本体２７の上壁３１の左右方向Ｙ中央部分には円形孔からなる開口部３４が形成されている。この上壁３１の下面側には、該上壁３１下面から下方に向けてケース本体２７の上下方向中途部にまで延出されたリブ壁３６が開口部３４の左右両側にそれぞれ形成されている。各リブ壁３６は前壁３１から後壁３２にわたって形成されている。また、各リブ壁３６の左右方向Ｙ外方側には、下方開口状のネジ穴３７を有する蓋体取付部３８が
上壁３０下面から下方に向けてケース本体２７の上下方向中途部にまで延出されている。この蓋体取付部３８の下面とリブ壁３６の下面とは、上下方向で同じ高さ位置となるように形成されている。
【００２２】
ケース本体２７の前壁３１には、後方に向けて凹む正面視矩形状の押圧壁収容凹部３９が形成され、この押圧壁収容凹部３９は前壁３１の上端から下端にわたって形成されている。この押圧壁収容凹部３９に後述する押圧壁５４が収容状とされる。
また、この前壁３１の左右方向Ｙ中央部分の上下方向中途部には通し穴４０が貫通形成されている。この通し穴４０は、左右リブ壁３６間の中央部分に位置しており、上部４０ａが下部４０ｂに比べて左右方向Ｙの幅が幅狭に形成され且つ上部４０ａが下部４０ｂの左右方向Ｙ中央部に位置する正面視凸形状に形成されている。
【００２３】
ケース本体２７の後壁３２の後面には、前方に向けて凹む背面視矩形状の凹部４１が形成され、この凹部４１は下方にのみ開放状に形成されている。この後壁３２後面の凹部４１内には、矩形状のゴム板等からなる当て板２９が貼り付けられている。また、この後壁３２の前面（ケース本体２７内面）には、前方に向けて延出された縦リブ４２が左右一対形成されている。この縦リブ４２は前記リブ壁３６の下端からケース本体２７の下端にかけて形成されている。
【００２４】
このケース本体２７（ケース２４）は、室外側開閉戸４の下框９と前記水返し壁部１６ａとの間に配置可能とされると共に開閉戸３，４を支持する横壁部１８に載置可能とされている。
また、ケース本体２７は、当て板２９を介して水返し壁部１６ａの室外側Ｂを向く面に接当可能とされている（ケース２４の後面側が水返し壁部１６ａの室外側Ｂを向く面に接当可能とされている）。
【００２５】
ケース本体２７の左右側壁３３には、下端から上方に向けて切り欠き形成されていて室内側レール１９との干渉を避けるためのレール逃し部４３が形成されている。このレール逃し部４３は前後方向Ｘ中央よりも前側寄りに形成されている。また、各種引違い窓１（引違い建具）によって室内側レール１９の室内外方向Ｘの位置にバラツキがあるが、前記レール逃し部４３の前後幅は、室内側レール１９の室内外方向Ｘの位置のバラツキに対応できるように（バラツキを吸収できるように）、室内側レール１９の厚さよりも十分に幅広に形成されている。
【００２６】
前記リブ壁３６の下端及び蓋体取付部３８の下端はレール逃し部４３の上端よりも上方に位置しており、前記通し穴４０の下端はレール逃し部４３の上端と略同じ高さ位置とされている。
蓋体２８は、図５、図７、図８及び図９に示すように、上壁４４と、前後壁４５，４６と、左右の側壁４７とから下方開口状の箱状に形成されており、ケース本体２７の内部に下方から挿入され、該蓋体２８の上壁４４上面が前記リブ壁３６及び蓋体取付部３８の下面に接当している。
【００２７】
この蓋体２８の上壁４４には、ケース本体２７の蓋体取付部３８のネジ穴３７に対応する位置に、ネジ挿通孔４８が形成され、このネジ挿通孔４８を下方から挿通してネジ穴３７に螺合されるネジ３５によって蓋体２８がケース本体２７に取付固定されている。
また、蓋体２８の上壁４４上面には左右一対のガイド部４９が形成されている。このガイド部４９は、蓋体２８の上面から上方に突出する前後方向Ｘに長い突条に形成され、各ガイド部４９は、左右方向Ｙにおいてリブ壁３６と通し穴４０との間に位置している。したがって、左右ガイド部４９間に通し穴４０が位置している。
【００２８】
この蓋体２８の左右側壁４７には、ケース本体２７に形成されたレール逃し部４３に対応するレール逃し部５０が形成されている。
蓋体２８の前壁４５の後面（蓋体２８内面）には、左右方向Ｙ中央部に位置する縦リブ５１が上下方向に形成され、蓋体２８の後壁４６には、後面から前方に向けて凹む上下方向の凹条部５２が左右一対形成されていて、該凹条部５２にケース本体２７の後壁３２前面に形成された縦リブ４２が嵌っている。
【００２９】
前記可動部材２５は、図５、図７、図８及び図９に示すように、支持プレート５３と、
この支持プレート５３の前端に一体形成されていて室外側開閉戸４の下框９を押圧可能な押圧壁５４と、この押圧壁５４の前面に貼り付けられた接当板５５とから主構成されている。
支持プレート５３は、前後方向Ｘに長い方形板状に形成され、上面に複数のラック歯５６が前後方向Ｘに所定間隔をおいて形成されている。
【００３０】
支持プレート５３は、蓋体２８上面の左右ガイド部４９間に配置されていて左右のガイド部４９で前後方向Ｘ移動自在にガイドされている。
この支持プレート５３は、該支持プレート５３が通し穴４０の下部４０ｂを通り且つラック歯５６が通し穴４０の上部４０ａを通るように、ケース本体２７の通し穴４０を通って前方に突出可能とされていて、ケース本体２７の前面から前後方向Ｘ出退自在に突出可能とされている。
【００３１】
押圧壁５４は、正面視矩形の板状に形成され、該押圧壁５４の後面の、上下方向中央部からやや上方寄りで且つ左右方向Ｙ中央部に、支持プレート５３の前端が接続されている。この押圧壁５４の前面には後方に向けて凹む凹部５７が形成され、この凹部５７に嵌るように設けられたゴム板等からなる接当板５５が押圧壁５４の前面に貼り付けられている。
【００３２】
前記カム部材２６は、図１０に示すように、ベース部５８と、このベース部５８の上面に設けられた係合部５９と、ベース部５８の下面側に設けられた螺旋カム６０とを一体形成してなる。
ベース部５８は、平面視円形状に形成されていて、上部の小径部５８ａと、この小径部５８ａより大径の下部の大径部５８ｂとから段付き状に形成されている。
【００３３】
係合部５９は、ベース部５８の小径部５８ａよりも小径の筒状に形成され、外周面が、凸部と凹部とが周方向に沿って連続した凹凸形状に形成されている。また、この係合部５９の内孔は円形穴状の有底穴からなる嵌合穴６１とされ、底部がベース部５８の小径部５８ａに至るように形成されている。
また、ベース部５８には、嵌合穴６１の底面から下方に向けて凹設された六角穴状の有底穴からなる操作穴６２が形成されている。
【００３４】
このカム部材２６は、蓋体２８をケース本体２７に取り付ける前に該ケース本体２７に下方側から挿入され、図７及び図９に示すように、ベース部５８の小径部５８ａがケース本体２７の上壁３０の開口部３４に挿通されていると共に大径部５８ｂ上面がケース本体２７の上壁３０下面に接当することによりカム部材２６の上方移動が規制される。また、蓋体２８をケース本体２７に取り付けることにより、該蓋体２８によってカム部材２６の下方への抜止めがなされている。
【００３５】
カム部材２６の螺旋カム６０の下面は蓋体２８のガイド部４９上面に摺接自在とされており、該カム部材２６は、ケース２４に上下軸回りに回動自在に支持されている。
また、カム部材２６は、可動部材２５の支持プレート５３の上側に位置していて、図８に示すように、螺旋カム６０が支持プレート５３のラック歯５６に噛み合っている。
前記操作部材２３は、図６に示すように、上部がツマミ部６３とされ、下部が外面円柱状に形成されている。この操作部材２３の下面側には、カム部材２６の係合部５９が嵌入可能とされ且つ内周面が係合部５９の凹凸形状に合致する凹凸形状とされた係合孔６４が形成されている。この操作部材２３の係合孔６４をカム部材２６の係合部５９に外嵌することにより、操作部材２３がカム部材２６と一体回動可能とされる。そして、操作部材２３を回動操作することにより、カム部材２６が操作部材２３と一体回動して螺旋カム６０がラック歯５６に係合する（ラック歯５６と噛み合う）ことにより、支持プレート５３が前後移動して可動部材２５が前後方向Ｘに進退する。
【００３６】
また、操作部材２３には、図６〜図８に示すように、係合孔６４の中心部分に位置していて、カム部材２６の嵌合穴６１に挿入される挿入部６５が設けられている。この挿入部６５は二股状の筒状体に形成され、嵌合穴６１に挿入されることにより径方向内方に若干弾性変形するように構成されていて、嵌合穴６１の内面と挿入部６５の外面との間に適度な摩擦抵抗を生じさせる。
【００３７】
この操作部材２３はカム部材２６に対して着脱自在とされており、操作部材２３をカム部材２６から取り外すことによりカム部材２６が容易に操作できないように構成されている。
また、操作部材２３のツマミ部６３には、操作部材２３をカム部材２６から取り外したときに、該操作部材２３を、壁等に設けられる引掛け部に引っ掛けておくための掛合穴６６が形成されている。
【００３８】
また、本実施形態の補助錠２１にあっては、ベース部５８に形成された操作穴６２に合致する六角柱状の棒材（六角レンチ等）を操作穴６２に挿入することにより、操作部材２３がなくても、カム部材２６を回動操作することができるよう構成されている。
前記補助錠２１を引違い窓１（引違い建具）に取り付けるには、例えば、引違い窓１を閉めた状態とし、可動部材２５を後退させた状態で、可動部材２５が室外側Ｂを向くように、補助錠２１を、室外側開閉戸４の下框９と水返し壁部１６ａとの間で且つ室内側開閉戸３の戸尻框１１の近傍に配置する。そして、ケース２４を下枠１３の横壁部１８上に載置すると共に、ケース２４の後面側（当て板２９）を水返し壁部１６ａの室外側Ｂを向く面に接当させる。
【００３９】
この状態で、操作部材２３を操作して可動部材２５を前進させて可動部材２５（接当板５５）を室外側開閉戸４の下框９の室内側Ａを向く面に接当させ、その後、さらに可動部材２５を前進させる方向に操作部材２３を操作すると、可動部材２５が室外側開閉戸４の下框９を押圧し、補助錠２１が室外側開閉戸４の下框９と前記水返し壁部１６ａとの間で突っ張って、該補助錠２１が引違い窓１に固定される。これによって、室内側開閉戸３と室外側開閉戸４との開き方向の移動が規制される。
【００４０】
また、操作部材２３を逆方向に回動させると補助錠２１の固定が解除される。
前記構成の補助錠２１にあっては、ケース２４が室外側開閉戸４の下框９と水返し壁部１６ａとの間に配置可能であり、可動部材２５が室外側開閉戸４の下框９を押圧可能であることから、補助錠２１が室外側開閉戸４の下框９と水返し壁部１６ａとの間に収まる寸法に形成されている。
【００４１】
これにより、補助錠２１を引違い窓１（引違い建具）に取り付けた状態で、該補助錠２１に、ものが当たりにくく且つ補助錠２１が外されにくい。また、補助錠２１が水返し壁部１６ａより室内側Ａに出っ張らないので、補助錠２１の固定を解除した場合に、室外側開閉戸４の下框９と水返し壁部１６ａとの間に補助錠２１を置いておいても、該補助錠２１が邪魔にならない。また、補助錠２１の固定を解除した場合に、室外側開閉戸４の下框９と水返し壁部１６ａとの間に補助錠２１を置いておいておくことにより、補助錠２１の紛失を防止することができる。
【００４２】
本実施形態では、補助錠２１を使用する引違い建具１として引違い窓１を例示したが、これに限られることはなく、補助錠２１を出入開口部に設けられる引違い建具１としての引違い戸等に使用してもよい。
また、ケース本体２７のレール逃し部４３の前端側縁部を室内側レール１９に係合可能とし、この状態で、可動部材２５を室外側開閉戸４の下框９に接当押圧させることにより、補助錠２１が引違い建具１に固定されるように構成してもよい。
【００４３】
また、補助錠２１の前後を逆に構成し、ケース２４が室外側開閉戸４の下框９に接当し、可動部材２５が水返し壁部１６ａを押圧可能となるように構成してもよい。
図１１は他の実施形態に係る補助錠２１を示している。
この実施形態に係る補助錠２１は、ケース２４を左右方向Ｙに長く形成すると共に、可動部材２５，カム部材２６及び操作部材２３を左右方向Ｙで二組設けている。
【００４４】
また、この他の実施形態の補助錠２１にあっては、ケース２４の後面側に設けられていて水返し壁部１６ａに接当する接当部６７を前後方向Ｘに位置変更自在（位置調整自在）に設けており、これによって、補助錠２１を多種の引違い窓１（引違い建具）に対応させることができる。
この接当部６７は、背面視矩形状の受け壁６８と、この受け壁６８の後面に貼り付けられた背面視矩形状の当て板６９とから構成されている。
【００４５】
この接当部６７の位置を変更する位置変更手段は、例えば、図１２に示すように構成される。
この図１２に示す位置変更手段は、前後方向Ｘの軸心を有する円柱状の支持部材７１と、この支持部材７１に設けられた第１係止部７２及び第２係止部７３とを有する。
第１係止部７２と第２係止部７３とは支持部材７１から径方向外方に突設され、これら第１係止部７２及び第２係止部７３は支持部材７１の周方向にそれぞれ一対設けられている。
【００４６】
一方の第１係止部７２は他方の第１係止部７２に対して、支持部材７１の周方向に９０°位置ズレした位置に設けられ、一方の第２係止部７３は他方の第２係止部７３に対して、支持部材７１の周方向に９０°位置ズレした位置に設けられている。
また、一方の第１係止部７２は一方の第２係止部７３の後方側に位置し、他方の第１係止部７２は他方の第２係止部７３の後方側に位置している。
【００４７】
第２係止部７３は第１係止部７２に対して、幅（支持部材７１周方向の寸法）及び高さ（支持部材径方向の寸法）が大とされている。
支持部材７１は、ケース本体２７の後壁３２（以下、単に、後壁３２という）に形成された第１支持孔７４と、該後壁３２の前方に設けられた支持壁７８に形成された第２支持孔７５とに前後移動可能に挿通されている。
【００４８】
接当部６７が後壁３２の後面に接当した状態では、第１係止部７２は後壁３２と支持壁７８との間に位置し、第２係止部７３は支持壁７８の前側に位置する。
第１支持孔７４には第１係止部７２が通過可能で第２係止部７３が通過不能な第１の切欠き７６が形成され、第２支持孔７５には第２係止部７３が通過可能な第２の切欠き７７が形成されている。
【００４９】
前記構成の位置変更手段にあっては、図１２（ａ）〜（ｃ）に示すように、第１係止部７２が第１の切欠き７６と支持部材７１の周方向で位置ズレし且つ第２係止部７３が第２の切欠き７７と支持部材７１の周方向で位置ズレしている状態では、接当部６７及び支持部材７１が前後移動不能とされている。
この状態で、支持部材７１を軸心回りに回動させて、図１２（ｄ）に示すように、第１係止部７２を第１の切欠き７６に一致させると共に第２係止部７３を第２の切欠き７７に一致させると、接当部６７及び支持部材７１が後方移動可能となる。接当部６７及び支持部材７１を後方移動させると、第２係止部７３が後壁３２に接当するまで、接当部６７及び支持部材７１が後方移動する。
【００５０】
第２係止部７３が後壁３２に接当すると接当部６７を支持部材７１の軸心回りに回動させて元の位置に戻す。
このようにして、接当部６７が、図１１（ａ）及び図１２（ｂ）に仮想線で示す位置に位置変更可能とされている。
なお、接当部６７の位置変更手段として、図１２に示す構造のものに限定されることなく、その他の構造のものを採用してもよい。例えば、ラチェット機構を利用した位置変更手段や、ラック歯と螺旋カムによる位置変更手段等を採用してもよい。
【００５１】
また、図例では、接当部６７を前後２段に変更自在な位置変更手段を例示したが、これに限定されることなく、接当部６７を３段以上の複数段に位置変更可能としてもよく、また、接当部６７を無段階に位置変更できるようにしてもよい。
その他の構成は図１〜図１０に係る実施形態の補助錠２１と同様に構成される。
また、この他の実施形態に係る補助錠２１の前記接当部６７の位置変更手段を図１〜図１０に係る実施形態の補助錠２１に採用してもよい。
【符号の説明】
【００５２】
１    引違い建具（引違い窓）
２    建具枠（窓枠）
３    室内側開閉戸
４    室外側開閉戸
９    下框
１３    下枠
１６ａ  室外側開閉戸下框と室内側で対向する建具枠の室内側壁部（水返し壁部）
１８    開閉戸を支持する建具枠の壁部（横壁部）
２４    ケース
２５    可動部材
２７    ケース本体
２８    蓋体
４０    通し穴
４３    レール逃し部
４９    ガイド部
５３    支持プレート
５４    押圧壁
６７    接当部
Ａ    室内側
Ｂ    室外側
Ｘ    室内外方向（前後方向）
Ｙ    開閉方向（左右方向）
【図１】
0005981774.tif 000002
【図２】
0005981774.tif 000003
【図３】
0005981774.tif 000004
【図４】
0005981774.tif 000005
【図５】
0005981774.tif 000006
【図６】
0005981774.tif 000007
【図７】
0005981774.tif 000008
【図８】
0005981774.tif 000009
【図９】
0005981774.tif 000010
【図１０】
0005981774.tif 000011
【図１１】
0005981774.tif 000012
【図１２】
0005981774.tif 000013